(57)【要約】【課題】重量増を抑制して照明器具を容易に移動させることが可能な照明用スタンド及び照明装置を提供する。【解決手段】設置面上に設置されたベース１１と、ベース１１上に載置されたバッテリー５ａ，５ｂと、ベース１１に取り付けられてベース１１から立ち上がった移動用のハンドル１３と、ハンドル１３に取り付けられ、ハンドル１３をベース１１と共に傾動させたときに設置面Ｓに接触して転動可能となる車輪１５と、ハンドル１３に沿ってベース１１から立ち上がった支柱１７と、支柱１７の立ち上がりの方向の先端に取り付けられバッテリー５ａ，５ｂからの給電により発光する照明器具７とを備えた。【選択図】  図３
2019023976.tif 000002
【特許請求の範囲】
【請求項１】
設置面上に設置されたベースと、
該ベース上に載置された電力供給源と、
前記ベースに取り付けられて前記ベースから立ち上がった移動用のハンドルと、
前記ハンドルに取り付けられ、前記ハンドルを前記ベースと共に傾動させたときに前記設置面に接触して転動可能となる車輪と、
前記ハンドルに沿って前記ベースから立ち上がった支柱と、
該支柱の前記立ち上がりの方向の先端に取り付けられ前記バッテリーからの給電により発光する照明器具と、
を備えたことを特徴とする照明装置。
【請求項２】
請求項１記載の照明装置であって、
前記電力供給源は、前記ベースへの載置状態で前記ハンドルに突き当てられたバッテリーであり、
前記ベース上に立設された押さえ部により、前記バッテリーの前記ハンドルへの位置決め状態を保持する、
ことを特徴とする照明装置。
【請求項３】
請求項２記載の照明装置であって、
前記バッテリーは、一対設けられ、
前記一対のバッテリーは、相互間に間隔をあけて前記ベース上に載置されて前記ハンドルに突き当てられると共に前記押さえ部により位置決められ、
前記支柱の基端側は、前記一対のバッテリー間に挟持された、
ことを特徴とする照明装置。
【請求項４】
請求項２記載の照明装置であって、
前記バッテリーは、前記ハンドルに対して前記支柱を介して突き当てられ、
前記支柱の基端側は、前記ハンドルと前記バッテリーとの間で挟持された、
ことを特徴とする照明装置。
【請求項５】
請求項１〜４の何れか一項に記載の照明装置であって、
前記支柱は、前記立ち上がりの方向の基端が前記ベースに受けられ、前記立ち上がり方向の中間部が前記ハンドルに結合された、
ことを特徴とする照明用スタンド。
【請求項６】
請求項５記載の照明用スタンドであって、
前記ハンドルの前記立ち上がりの方向の中間部に、前記支柱を結合するための結合部を備え、
前記結合部は、前記支柱を前記立ち上がりの方向において挿通する挿通部と、該挿通部と一体に設けられて前記ハンドルに前記立ち上がりの方向に対する交差方向で突き当てられる突当部と、該突当部の突き当て状態を保持する保持部とを備えた、
ことを特徴とする照明用スタンド。
【発明の詳細な説明】
【技術分野】
【０００１】
本発明は、屋外等での使用に適した照明装置に関する。
【背景技術】
【０００２】
土木工事現場やイベント会場等では、夜間の照明に照明器具としての投光器が利用されている。このような投光器等の照明器具は、移動を容易に行わせるために台車に載せられた照明装置として構成されていることがある。
【０００３】
照明装置としては、例えば、特許文献１に記載のものがある。この照明装置は、下面に車輪が取り付けられたベースに対して上面からマストが立設されると共に端部に移動用のハンドルが取り付けられた台車を備えている。台車のベース上には、発電機が載置され、マストの上端には、投光器が取り付けられる。
【０００４】
従って、台車のハンドルを把持して押すことにより、照明装置を移動させることが可能となる。
【０００５】
しかし、かかる照明装置では、荷重の全てが摩擦力として作用するため、移動させることが困難であり、利便性が損なわれる結果となっていた。
【０００６】
また、軟弱な地盤等においては、照明器具の使用中に車輪が食い込み、その後の移動がより困難になる問題もある。
【先行技術文献】
【特許文献】
【０００７】
【特許文献１】実公平７−５１９５７号公報
【発明の開示】
【発明が解決しようとする課題】
【０００８】
解決しようとする問題点は、移動が困難であり、利便性が損なわれる点である。
【課題を解決するための手段】
【０００９】
本発明は、移動を容易に行わせて利便性を向上させるために、設置面上に設置されたベースと、該ベース上に載置された電力供給源と、前記ベースに取り付けられて前記ベースから立ち上がった移動用のハンドルと、前記ハンドルに取り付けられ、前記ハンドルを前記ベースと共に傾動させたときに前記設置面に接触して転動可能となる車輪と、前記ハンドルに沿って前記ベースから立ち上がった支柱と、該支柱の前記立ち上がりの方向の先端に取り付けられ前記バッテリーからの給電により発光する照明器具とを備えたことを最も主な特徴とする。
【発明の効果】
【００１０】
本発明によれば、ハンドルと共にベースを傾斜させることで車輪の転動により容易に移動させることができる。
【００１１】
しかも、バッテリー及び照明器具等の重量を、傾斜によって移動方向の力として利用することができるため、より容易に移動させることが可能となる。
【００１２】
さらに、設置時には、車輪が設置面に接触していない。このため、設置面が軟弱な地盤等であっても、設置中に車輪が食い込むことは無く、その後の移動を容易に行わせることが可能となる。
【図面の簡単な説明】
【００１３】
【図１】照明装置を示す正面図である。（実施例１）
【図２】図１の照明装置の照明用スタンド周辺の拡大正面図である。（実施例１）
【図３】図１の照明装置の側面図である。（実施例１）
【図４】図３の照明装置の台車部周辺の拡大側面図である。（実施例１）
【図５】図１の照明装置の平面図である。（実施例１）
【図６】図１の照明装置の台車部を示す正面図であり、（Ａ）は展開状態、（Ｂ）は収納状態である。（実施例１）
【図７】図６の台車部の側面図であり、（Ａ）は展開状態、（Ｂ）は収納状態である。（実施例１）
【図８】図６の台車部の平面図であり、（Ａ）は展開状態、（Ｂ）は収納状態である。（実施例１）
【図９】図１の照明装置に用いられている支柱を示す正面図である。（実施例１）
【図１０】図１の照明装置に用いられているバッテリーを示す正面図である。（実施例１）
【図１１】図１０のバッテリーの側面図である。（実施例１）
【図１２】図１０のバッテリーの平面図である。（実施例１）
【図１３】図１の照明装置の照明器具周辺を示す拡大正面図である。（実施例１）
【図１４】照明装置を示す正面図である。（変形例１）
【図１５】図１４の照明装置の側面図である。（変形例１）
【図１６】図１４の照明装置の平面図である。（変形例１）
【図１７】照明装置を示す正面図である）。（変形例２）
【図１８】図１７の照明装置の側面図である。（変形例２）
【図１９】図１７の照明装置の平面図である。（変形例２）
【図２０】照明装置を示す正面図である。（変形例３）
【図２１】図２０の照明装置の側面図である。（変形例３）
【図２２】図２０の照明装置の平面図である。（変形例３）
【図２３】照明装置を示す正面図である。（変形例４）
【図２４】図２３の照明装置の側面図である。（変形例４）
【図２５】図２３の照明装置の平面図である。（変形例４）
【図２６】照明装置を示す正面図である。（変形例５）
【図２７】図２６の照明装置の側面図である。（変形例５）
【図２８】図２６の照明装置の平面図である。（変形例５）
【発明を実施するための形態】
【００１４】
容易に移動させて利便性を向上させるという目的を、電力供給源や照明器具を支持するベースに移動用のハンドルを取り付け、ハンドルに傾斜によって設置面に接触して転動可能となる車輪を設けることによりにより実現した。
【００１５】
具体的には、照明装置は、設置面上に設置されたベースと、該ベース上に載置された電力供給源と、前記ベースに取り付けられて前記ベースから立ち上がった移動用のハンドルと、前記ハンドルに取り付けられ、前記ハンドルを前記ベースと共に傾動させたときに前記設置面に接触して転動可能となる車輪と、前記ハンドルに沿って前記ベースから立ち上がった支柱と、該支柱の前記立ち上がりの方向の先端に取り付けられ前記バッテリーからの給電により発光する照明器具とを備える。
【００１６】
電力供給源は、軽量なバッテリーを用いることが好ましいが、小型で軽量な発電機等を用いることも可能である。
【００１７】
バッテリーの場合は、取り外し及び取り付け容易性の観点から、バッテリーをベースへの載置状態でハンドルに突き当て、ベース上に立設された押さえ部によりバッテリーのハンドルへの位置決め状態を保持する構成としてもよい。
【００１８】
バッテリーの個数は任意であるが、一対設ける場合は、一対のバッテリーが相互間に間隔をあけてベース上に載置されてハンドルに突き当てられると共に押さえ部により位置決められ、支柱の基端側が一対のバッテリー間に挟持される構成としても良い。
【００１９】
単一のバッテリーの場合は、ハンドルに対して支柱を介してバッテリーを突き当て、支柱の基端側をハンドルとバッテリーとの間で挟持する構成としてもよい。
【００２０】
支柱は、立ち上がりの方向の基端がベースに受けられ、立ち上がり方向の中間部がハンドルに結合された構成としてもよい。
【００２１】
この結合は、ハンドルに取り付けられた結合部によって行ってもよい。結合部は、支柱を立ち上がりの方向において挿通する挿通部と、この挿通部と一体に設けられてハンドルに立ち上がりの方向に対する交差方向で突き当てられる突当部と、この突当部の突き当て状態を保持する保持部とを備えた構成としてもよい。
【実施例１】
【００２２】
［照明装置の構成］
図１及び図２は、照明装置を示す正面図及び台車部周辺を示す拡大正面図、図３及び図４は、照明装置を示す側面図及び台車部周辺を示す拡大側面図、図５は、照明装置を示す平面図である。図６〜図８は、台車部を示す正面図、側面図、及び平面図である。
【００２３】
図１〜図５に示すように、本実施例の照明装置１は、台車部３と、電力供給源としての一対のバッテリー５ａ，５ｂと、照明器具７とを備え、傾斜させた状態で台車部３の車輪１５ａ，１５ｂによって走行することで移動可能となっている。
【００２４】
台車部３は、図１〜図８のように、ベース１１、ハンドル１３、車輪１５ａ，１５ｂ、支柱１７、結合部１９を備えている。
【００２５】
ベース１１は、アルミニウム等の金属からなり、電力供給源である一対のバッテリー５ａ，５ｂを載置可能に構成されている。ベース１１は、バッテリー５ａ，５ｂを安定的に載置可能なものであれば、特に形状が限定されるものではない。なお、ベース１１に載置される電力供給源は、バッテリー５ａ，５ｂではなく、小型で軽量な発電機であってもよい。
【００２６】
本実施例では、平坦な部材、特に軽量化のための複数の肉抜き穴２１を有する板状部材により構成されている。このベース１１は、平面視において前後方向の一端から中間部にかけて漸次幅が広くなり、中間部から他端まで一定の幅を有している。
【００２７】
なお、前後方向とは、ベース１１の平面視において、照明装置１の走行方向に沿った方向をいう（以下同じ。）。幅方向は、平面視において前後方向に交差する方向である（以下同じ。）。
【００２８】
ベース１１の下面には、四隅に脚部２３が設けられており、脚部２３により設置面Ｓ上に設置されている。ベース１１の上面上には、一対のバッテリー５ａ，５ｂを載置するための一対の載置面１１ａが区画されている（図８（Ａ））。
【００２９】
一対の載置面１１ａは、ベース１１の幅方向に隣接しており、相互間に隙間を空けて位置している。各載置面１１ａは、ベース１１の前後方向の端部間に渡り、一端にベース１１上に取り付けられた押さえ部材２５の第１押さえ部２５ａが位置し、他端にハンドル１３が位置している。
【００３０】
押さえ部材２５は、ベース１１の前後方向の一端に取り付けられた板状部材である。この押さえ部材２５には、バッテリー５ａ，５ｂをベース１１上に位置決めるための第１押さえ部２５ａ及び第２押さえ部２５ｂが立設されている。
【００３１】
第１押さえ部２５ａは、幅方向に沿って一対設けられ、それぞれ載置面１１ａの一端に位置している。第２押さえ部２５ｂは、それぞれ載置面１１ａの幅方向外側に位置し、前後方向に沿って延びている。
【００３２】
一対の載置面１１ａ間には、幅方向の中央部且つ前後方向の中央部から一端側に寄った位置に支柱１７を取り付けるための取付孔１１ｂがベース１１に貫通して設けられている。
【００３３】
ハンドル１３は、ベース１１に取り付けられてベース１１から立ち上がって設けられている。本実施例のハンドル１３は、ハンドルフレーム２７及びグリップ部２９を備えている。
【００３４】
ハンドルフレーム２７は、一対のフレーム部材３１ａ，３１ｂ及びこれらフレーム部材３１ａ，３１ｂをベース１１に対して支持する支持部３３を備えている。本実施例では、フレーム部材３１ａ，３１ｂが支持部３３を介してがベース１１に対して回転自在に支持されている。これにより、フレーム部材３１ａ，３１ｂ（ハンドルフレーム２７、ハンドル１３）は、ベース１１に沿った収納状態とベース１１から起立した展開状態との間で回動可能となっている（図６〜図８）。
【００３５】
なお、フレーム部材３１ａ，３１ｂは、ベース１１に対して回転自在ではなく、展開状態で固定して取り付けることも可能である。
【００３６】
各フレーム部材３１ａ、３１ｂは、アルミニウム等の金属からなり、展開状態において上下方向に伸びるパイプ状に形成されている。本実施例において、フレーム部材３１ａ、３１ｂは、支持部３３を介してベース１１に支持される下部パイプ３５ａ及びこの下部パイプ３５ａに対して出没可能な上部パイプ３５ｂを備え、入れ子式に伸縮自在に構成されている。なお、フレーム部材３１ａ、３１ｂは、伸縮しない構成とすることも可能である。
【００３７】
フレーム部材３１ａ、３１ｂ相互間は、上下方向の中間部において樹脂からなる結合フレーム３９により結合されている。本実施例の結合フレーム３９は、下部パイプ３５ａ間を結合している。
【００３８】
結合フレーム３９は、フレーム部材３１ａ、３１ｂを挿通させる一対の筒状の挿通部４１，４１ｂ間を棒状の連結部４３によって連結した構成となっている。
【００３９】
なお、結合フレーム３９の形状や材質は、特に限定されるものではなく、フレーム部材３１ａ，３１ｂ間を結合できるものであればよい。
【００４０】
また、フレーム部材３１ａ，３１ｂ間は、下端部において支持部３３によって相互に結合されている。支持部３３は、脚部４５ａ，４５ｂと、取付部４７ａ，４７ｂとを備えている。
【００４１】
脚部４５ａ，４５ｂは、アルミニウム等の金属からなる棒状の下端部４５ａａ，４５ｂａがベース１１上に設けられた軸支部４９に軸支されている。なお、軸支部４９又は支持部３３には、ハンドル１３の展開状態で支持部３３の回転を規制するストッパ（図示せず）が設けられる。
【００４２】
脚部４５ａ，４５ｂの下端部４５ａａ，４５ｂａを除く本体部４５ａｂ，４５ｂｂは、樹脂製であり、下端部４５ａａ，４５ｂａと上下方向において連続する棒状に形成されている。この脚部４５ａ，４５ｂは、上下方向の途中から上方に向けて幅方向の内側に傾斜し、上端に取付部４７ａ，４７ｂが一体に設けられている。
【００４３】
取付部４７ａ，４７ｂは、フレーム部材３１ａ，３１ｂの下端部を差し込む凹形状となっている。取付部４７ａ，４７ｂ間は、連結板５１を介して連結されている。
【００４４】
グリップ部２９は、照明装置１の移動時に作業者が把持する部分である。グリップ部２９は、幅方向に沿った樹脂製の棒状であり、両側に設けられた凹形状の差込み部５３ａ，５３ｂにそれぞれフレーム部材３１ａ，３１ｂの上端部が差込ませれている。本実施例のグリップ部２９は、差込み部５３ａ，５３ｂに対して、前後方向でベース１１から離れるように屈曲した形状となっている。
【００４５】
グリップ部２９の下方には、レバー５５が設けられている。レバー５５は、幅方向に沿って配置された棒状であり、両側に設けられた筒状の挿通部５７ａ，５７ｂにフレーム部材３１ａ，３１ｂがそれぞれ挿通されている。このレバー５５は、グリップ部２９側に移動させることで、フレーム部材３１ａ、３１ｂのロックを解除して伸縮を可能にする。
【００４６】
車輪１５ａ，１５ｂは、ハンドル１３の下端側に取り付けられている。本実施例では、支持部３３の脚部４５ａ，４５ｂにそれぞれ取り付けられている。具体的には、脚部４５ａ，４５ｂの下端部４５ａａ，４５ｂａ外周に筒状のブラケット５９ａ，５９ｂが挿通状態で取り付けられている。これらブラケット５９ａ，５９ｂには、アーム６１ａ，６１ｂが前後方向において突設されている。アーム６１，６１ｂの先端には、それぞれ車輪１５ａ、１５ｂが回転自在に支持されている。
【００４７】
これにより、車輪１５ａ、１５ｂは、前後方向においてハンドル１３を挟んでベース１１の反対側に位置し、ベース１１を上にしてハンドル１３を傾動させたときに設置面Ｓに接触して転動可能となる。
【００４８】
また、車輪１５ａ、１５ｂは、ブラケット５９ａ，５９ｂがハンドル１３の脚部４５ａ，４５ｂの下端部４５ａｂ，４５ｂｂに対して軸周り回転可能に支持されており、脚部４５ａ，４５ｂ間に位置する収納状態と展開状態との間で回転可能となっている。
【００４９】
図９は、図１の照明装置に用いられている支柱を示す正面図である。
【００５０】
支柱１７は、アルミニウム等の金属製の柱であり、図１〜図５及び図９のように、ハンドル１３に沿って上下方向に伸びる。なお、支柱１７は、インサート成形によりアルミニウム等の金属と樹脂とを一体化した構造等とすることも可能である。
【００５１】
本実施例の支柱１７は、上柱部６３ａ及び下柱部６３ｂの２つに分離可能に構成されている。上柱部６３ａ及び下柱部６３ｂ間は、下柱部６３ｂの上端の雄ねじ部６５を上柱部６３ａの下端の雌ねじ部６７ａに螺合することで分離可能に結合されている。
【００５２】
支柱１７の下端（基端）は、ベース１１で受けられている。この下端には、支柱１７の下柱部６３ｂに雌ねじ部６７ａが設けられており、ベース１１の取付孔１１ｂを貫通するねじ等の締結具６９が螺合されている。従って、支柱１７の下端は、ベース１１に締結されている。
【００５３】
なお、支柱１７の下端の締結方法は、特に限定されるものではなく、例えば、ベース１１の取付孔１１ｂの内周に雌ねじ部を形成して支柱１７の下端に設けた雄ねじ部を螺合させたり、或は支柱１７の下端に設けた雄ねじ部がベース１１の取付孔を挿通し、その雄ねじ部にナットを螺合させてもよい。
【００５４】
また、支柱１７の下端は、ベース１１に締結しなくてもよく、例えば係合用のピンを突設し、ベース１１の取付孔１１ｂ内にピンを差し込んで係合させる形態であってもよい。
【００５５】
かかる支柱１７は、最大伸長状態のハンドル１３よりも長く、ハンドル１３に対して上方に突出している。支柱１７の上端（先端）には、照明器具７が取り付けられている。取付は、支柱１７の上端に雌ねじ部６７ｂが形成されており、ボルト（図示せず）によって照明器具７が締結されている。
【００５６】
結合部１９は、図１〜図５のように、支柱１７及びハンドル１３の立ち上がりの方向である上下方向の中間部を相互に結合するものである。本実施例では、支柱１７の下柱部６３ｂとハンドル１３のフレーム部材３１ａ、３１ｂの下部パイプ３５ａとの間を結合している。
【００５７】
結合部１９は、支柱１７及びハンドル１３間を結合できるものであれば、特に限定されるものではない。本実施例の結合部１９は、樹脂によって形成され、挿通部７１、突当部７３、及び保持部７５を備えている。
【００５８】
挿通部７１は、支柱１７を上下方向において挿通する筒状に形成されている。挿通部７１には、突当部７３が一体に設けられている。
【００５９】
本実施例の突当部７３は、挿通部７１から前後方向に沿った延設部７３ａがハンドル１３に向けて突出し、延設部７３ａの端部に幅方向に沿って一体に設けられている。突当部７３は、幅方向の両側部が、ハンドル１３、特にハンドルフレーム２７に前後方向で当接する。
【００６０】
このように、突当部７３は、ハンドル１３に上下方向に対する交差方向である前後方向で突き当てられる構成となっている。
【００６１】
保持部７５は、突当部７３の突き当て状態を保持するものである。本実施例の保持部７５は、バンドにより構成され、突当部７３の当接部７３ｂの両側部とハンドルフレーム２７のフレーム部材３１ａ，３１ｂとの間をそれぞれ締め付けて結合する。なお、保持部７５は、バンドに限られず、例えばねじ止めやクリップ状の係合部等とすることも可能である。
【００６２】
図１０〜図１２は、図１の照明装置に用いられているバッテリーを示す正面図、側面図、及び平面図である。なお、図１０〜図１２では、バッテリー５ａ，５ｂが同一形状であるため、バッテリー５ａのみを示す。
【００６３】
図１〜図５、図１０〜図１２のように、バッテリー５ａ，５ｂは、それぞれベース１１の載置面１１ａａ，１１ａｂ（図８）上に載置されている。
【００６４】
この状態で、バッテリー５ａ，５ｂは、前後方向において、一端下部が第１押さえ部２５ａに突き当たり、他端上部がハンドル１３、特に支持部３３に突き当たり、位置決められている。幅方向においては、バッテリー５ａ，５ｂ相互間が支柱１７を挟持して位置決められると共に外側から第２押さえ部２５ｂが突き当たってバッテリー５ａ，５ｂを位置決めている。
【００６５】
従って、バッテリー５ａ，５ｂは、ベース１１への載置状態でハンドル１３に突き当てられ、ベース１１に立設された押さえ部２５ａ，２５ｂにより、ハンドル１３への位置決め状態が保持されている。
【００６６】
各バッテリー５ａ，５ｂには、前後方向の一端面にケーブル接続口７７やスイッチ７９等が設けられている。ケーブル接続口７７には、照明器具７へ至る給電用のケーブル８１が接続されている。また、バッテリーの上面には、持ち運び用の取っ手８２が設けられている。
【００６７】
図１３は、図１の照明装置の照明器具周辺を示す拡大正面図である。
【００６８】
照明器具７は、図１〜図５及び図１３のように、支柱１７に支持された金属製の基部８５に、複数の可動発光板８３が周方向所定間隔毎に取り付けられて形成されている。基部８５の支持は、ボルト（図示せず）を支柱１７の上柱部６３ａの雌ねじ部６７ｂに螺合することによって行われる。
【００６９】
各可動発光板８３は、長尺平板状のアルミニウム等の金属ベースに、長手方向に沿って複数のＬＥＤ（Light Emitting Diode）８３ａが配列されている。可動発光板８３は、長手方向の一端が基部８５に対して揺動可能に取り付けられている。これにより、可動発光板８３は、傾斜角度を変えて、ＬＥＤ８３ａによる照射方向が変更可能となっている。
【００７０】
照明器具７の中央部には、固定的に支持されている複数の固定発光板８７が設けられている。固定発光板８７は、基部８５から立設された支持柱８５ａの周囲に周方向に間隔をあけて配置されている。各固定発光板８７は、可動発光板８３と同様、長尺平板状のアルミニウム等の金属ベースに、長手方向に沿って複数のＬＥＤ８３ａが配列されている。
【００７１】
この照明器具７は、バッテリー５から伸びるケーブル８１を介して給電され、可動発光板８３及び固定発光板８７のＬＥＤ８３ａから光を照射するようになっている。
【００７２】
［照明装置の組み立て及び移動］
照明装置１を組み立てる手順の一例について説明する。ただし、組立手順は、特に限定されるものではなく、適宜変更することが可能である。
【００７３】
照明装置１を組み立てる際は、収納状態の台車部３を展開状態にする。すなわち、収納状態の台車部３のベース１１に対し、ハンドル１３を回動させて展開状態とする。この展開状態の台車部３において、ベース１１を脚部２３によって設置面Ｓ上に設置すると共にハンドル１３のグリップ部２９及びレバー５５を握ってハンドル１３を伸長させる（図６〜図８）。
【００７４】
次いで、展開状態の台車部３のベース１１に支柱１７を取り付ける。支柱１７は、上柱部６３ａと下柱部６３ｂとを分離させておき、下柱部６３ｂをハンドル１３側に取り付けられている結合部１９の挿通部７１に挿通すると共に下柱部６３ｂの下端をベース１１上に位置させる（図１〜図４）。
【００７５】
この状態で、ベース１１の下面側から支柱１７の下柱部６３ｂの雌ねじ部６７ａに締結具６９を螺合させることにより、ベース１１に対して支柱１７の下柱部６３ｂの下端を締結する。
【００７６】
その後、支柱１７の下柱部６３ｂに上柱部６３ａを結合する。すなわち、台車部３のベース１１に取り付けられた下柱部６３ｂの雄ねじ部６５に、上柱部６３ａの雌ねじ部６７ｃを螺合させる（図９）。
【００７７】
これにより、支柱１７の下端をベース１１に締結しつつベース１１で受けさせることができる。
【００７８】
次いで、バッテリー５ａ，５ｂをベース１１上に載置する。このとき、バッテリー５ａ，５ｂは、相互間に支柱１７を挟みつつ、それぞれ載置面１１ａａ，１１ａｂ上に位置させる（図１〜図４）。
【００７９】
これにより、バッテリー５ａ，５ｂは、前後方向において第１押さえ部２５ａ及びハンドル１３の支持部３３により位置決められ、幅方向において外側から第２押さえ部２５ｂにより位置決められる。こうしてバッテリー５ａ，５ｂを容易に取り付けることができる。
【００８０】
なお、バッテリー５ａ，５ｂのスイッチ７９やケーブル接続部７９は、前後方向のハンドル１３側とは逆向きに指向するようにする。
【００８１】
次いで、支柱１７の上端に照明器具７を取り付ける。照明器具７は、基部８５上から支柱１７の上柱部６３ａの雌ねじ部６７ｂにボルトを螺合させて支柱１７に締結する。
【００８２】
次いで、照明器具７とバッテリー５ａ，５ｂとの間を給電用のケーブル８１により接続する。
【００８３】
このようにして、照明装置１を簡単に設置することができる。設置が完了した状態では、台車部３のベース１１から支柱１７が立設され、立設された支柱１７の先端に照明器具７が支持される。
【００８４】
このとき、本実施例の台車部３は、支柱１７の下端をベース１１で受けると共に支柱１７の中間部をハンドル１３に結合することで支柱１７をベース１１に支持することができるため、自立式の場合と比較して支柱１７とベース１１との間の強度を高めなくても、照明器具７を安定して支持することができる。
【００８５】
また、台車部３は、車輪１５ａ，１５ｂが取り付けられる移動用のハンドル１３を利用して支柱１７を補強することができ、より安定して照明器具７を支持することができる。なお、車輪１５ａ，１５ｂが取り付けられるハンドル１３は、その目的から強度が確保されているので、支柱１７の補強部及び支持部になる。
【００８６】
さらに、本実施例では、照明器具７が複数の可動発光板８３上にそれぞれ複数のＬＥＤ８３Ａが配列されている構成であるため、風等の影響を受けにくく、台車部３の重量増をより確実に抑制しながら照明器具７を安定支持することができる。
【００８７】
この設置中には、車輪１５ａ，１５ｂが設置面Ｓに接触していない。このため、設置面Ｓが軟弱な地盤等であっても、設置中に車輪１５ａ，１５ｂが食い込むことは無く、その後の移動を容易に行わせることが可能となる。
【００８８】
照明装置１を移動させる際は、作業者がグリップ部２９を把持してハンドル１３を傾動させ、車輪１５ａ、１５ｂを地面等の設置面Ｓ上に接触させると共にベース１１を設置面Ｓから浮かせる（図５）。
【００８９】
この状態でハンドル１３により照明装置１を牽くことで、容易に移動させることができる。このとき、傾斜した照明装置１の重量が移動方向に働くため、より容易に移動を行わせることが可能となる。
【００９０】
また、設置現場の変更等のために照明装置１を分解する際は、上記とは逆の手順で簡単に分解することができる。また、バッテリー５ａ，５ｂを充電する際は、バッテリー５ａ，５ｂを持ち上げるだけでベース１１から容易に取り外すことができる。
【００９１】
［実施例１の効果］
本実施例の照明装置１では、設置面Ｓ上に設置されたベース１１と、ベース１１上に載置されたバッテリー５ａ，５ｂと、ベース１１に取り付けられてベース１１から立ち上がった移動用のハンドル１３と、ハンドル１３に取り付けられ、ハンドル１３と共にベース１１を傾動させたときに設置面Ｓに接触して転動可能となる車輪１５ａ，１５ｂと、ハンドル１３に沿ってベース１１から立ち上がった支柱１７と、支柱１７の上下方向の先端に取り付けられた照明器具７とを備えた。
【００９２】
従って、本実施例の照明装置１は、ハンドル１３と共にベース１１を傾斜させることで車輪１５ａ，１５ｂの転動により容易に移動させることができる。
【００９３】
しかも、照明装置１の重量を、傾斜によって移動方向の力として利用することができるため、より容易に移動させることが可能となる。
【００９４】
さらに、設置時には、車輪１５ａ，１５ｂが設置面Ｓに接触していない。このため、設置面Ｓが軟弱な地盤等であっても、設置中に車輪１５ａ，１５ｂが食い込むことは無く、その後の移動を容易に行わせることが可能となる。
【００９５】
このように本実施例の照明装置１は、容易に移動を行わせることで利便性を向上することが可能となる。
【００９６】
また、本実施例の照明装置１は、バッテリー５ａ，５ｂをベース１１への載置状態でハンドル１３に突き当て、ベース１１上に立設された押さえ部２５ａ，２５ｂによりバッテリー５ａ，５ｂのハンドル１３への位置決め状態を保持する。
【００９７】
従って、バッテリー５ａ，５ｂをベース１１に対して載置し、その状態で持ち上げるだけで、容易に取り付け及び取外しができる。このため、バッテリー５ａ，５ｂを充電する際や他の作業で必要になった場合等に、容易に取り外して持ち運ぶことができ、利便性が高い。
【００９８】
また、本実施例では、一対のバッテリー５ａ，５ｂが相互間に間隔をあけてベース１１上に載置されてハンドル１３に突き当てられると共に押さえ部２５ａ，２５ｂにより位置決められ、支柱１７の基端側が一対のバッテリー５ａ，５ｂ間に挟持される。
【００９９】
従って、照明装置１では、バッテリー５ａ，５ｂを利用して支柱１７の下端を支持することができ、支柱１７とベース１１との間の強度を高める必要を更になくし、重量増を確実に抑制することができる。
【０１００】
しかも、かかる構成により、バッテリー５ａ，５ｂをベース１１に載置するだけで相互間を簡単に位置決めることができるため、取り付け及び取り外しをより容易にして利便性を向上できる。
【０１０１】
また、本実施例では、支柱１７の上下方向の基端がベース１１に受けられ、上下方向の中間部がハンドル１３に結合されている。  従って、本実施例の照明装置１は、自立式の場合と比較して支柱１７とベース１１との間の強度を高める必要がなく、また車輪１５が取り付けられる移動用のハンドル１３を利用して支柱１７を補強することができ、重量増を抑制して移動を容易に行わせることができる。同時に、照明装置１のコンパクト化を実現することができる。
【０１０２】
しかも、照明器具７が複数の可動発光板８３上にそれぞれ複数のＬＥＤ８３ａが配列されている構成であるため、風等の影響を受けにくく、支柱１７やその支持を簡素にできるため、重量増をより確実に抑制できる。
【０１０３】
さらに、本実施例では、設置、移動、分解を容易に行わせることができるので、極めて利便性が高い。
【０１０４】
本実施例の照明装置１は、ハンドル１３に取り付けられた結合部１９によって行われ、結合部１９は、支柱１７を上下方向において挿通する挿通部７１と、この挿通部７１と一体に設けられてハンドル１３に上下方向に対する交差方向で突き当てられる突当部７３と、この突当部７３の突き当て状態を保持する保持部７５とを備える。
【０１０５】
従って、支柱１７及びハンドル１３の相互間を簡素な構成で結合することができ、支柱１７をハンドル１３で補強しながら重量増を確実に抑制することができる。
【０１０６】
本実施例の照明装置１は、支柱１７の下端がベース１１に締結されているので、安定して支柱１７並びに照明器具７を支持でき、支柱１７をベース１１に支持した状態のまま全体を移動させることが可能となる。
【０１０７】
[変形例]
図１４〜図１６は、変形例１に係る照明装置を示す正面図、側面図、及び平面図である。
【０１０８】
変形例１は、支柱１７の位置を変更し、支柱１７をハンドル１３側に偏倚させたものである。この変形例１では、支柱１７及び照明器具７の重量物がベース１１の前後方向の一方に集中するため、ベース１１に延長部８９を設けている。
【０１０９】
延長部８９は、ベース１１の前後方向のハンドル１３側の端部からスライドさせて引き出し可能となっており、設置時にハンドル１３を挟んでベース１１から離れるように引き出される。延長部８９は、移動時にベース１１の下面に収納される。
【０１１０】
変形例１では、ハンドル１３と支柱１７とを結合する結合部１９の突当部７３から延設部７３ａが省略されており、挿通部７１の幅方向両側から当接部７３ｂが伸びる形態となっている。
【０１１１】
図１７〜図１９は、変形例２に係る照明装置を示す正面図、側面図、及び平面図である。
【０１１２】
変形例２は、変形例１とは逆に、支柱１７をハンドル１３から離れるように偏倚させたものである。延長部８９も、変形例１とは逆にベース１１の前後方向のハンドル１３に対する反対側の端部から引き出されるようになっている。結合部１９は、実施例１と比較して突当部７３の延設部８９の長さが延長されている。
【０１１３】
図２０〜図２２は、変形例３に係る照明装置を示す正面図、側面図、及び平面図である。
【０１１４】
変形例３は、照明装置１の電力供給源として単一のバッテリー５を用いたものである。
【０１１５】
すなわち、実施例１の一対のバッテリー５ａ，５ｂの内、一方を省略している。ただし、容量を確保するために、本変形例のバッテリー５は、実施例１に対して大型化されている。
【０１１６】
バッテリー５の大型化に合わせて押さえ部材２５の第１押さえ部２５ａ及び第２押さえ部２５ｂがバッテリー５の下部を押さえるように偏倚している。
【０１１７】
図２３〜図２５は、変形例４に係る照明用スタンドを用いた照明装置を示す正面図、側面図、及び平面図である。
【０１１８】
変形例４は、変形例１において、照明装置１の電力供給源として単一のバッテリー５を用いたものである。
【０１１９】
単一のバッテリー５は、ハンドル１３に対して前後方向で間隔をあけてベース１１上に幅方向に沿って載置されている。バッテリー５は、支柱１７を介してハンドル１３に突き当てられており、支柱１７の下端側は、ハンドル１３とバッテリー５との間で挟持されている。
【０１２０】
図２６〜図２８は、変形例５に係る照明用スタンドを用いた照明装置を示す正面図、側面図、及び平面図である。
【０１２１】
変形例５は、変形例２において、照明装置１の電力供給源として単一のバッテリー５を用いたものである。
【０１２２】
単一のバッテリー５は、ハンドル１３に対して前後方向で隣接してベース１１上に幅方向に沿って載置されている。
【０１２３】
変形例１〜５のように、支柱１７の位置を変更したり、バッテリー５の数を変更しても、実施例１と同様の作用効果を奏することができる。
【０１２４】
なお、変形例１〜５では、支柱１７の位置を前後方向で変更していたが、幅方向で変更することも可能である。ベース１１の延長部８９の位置やバッテリー５の大きさ、個数等を調整すればよい。
【符号の説明】
【０１２５】
１  照明装置、３  台車部、５，５ａ，５ｂ  バッテリー（電力供給源）、７  照明器具、１１  ベース、１３  ハンドル、１５ａ，１５ｂ  車輪、１７  支柱、１９  結合部、７１  挿通部、７３  突当部、７５  保持部、Ｓ  設置面
【図１】
2019023976.tif 000003
【図２】
2019023976.tif 000004
【図３】
2019023976.tif 000005
【図４】
2019023976.tif 000006
【図５】
2019023976.tif 000007
【図６】
2019023976.tif 000008
【図７】
2019023976.tif 000009
【図８】
2019023976.tif 000010
【図９】
2019023976.tif 000011
【図１０】
2019023976.tif 000012
【図１１】
2019023976.tif 000013
【図１２】
2019023976.tif 000014
【図１３】
2019023976.tif 000015
【図１４】
2019023976.tif 000016
【図１５】
2019023976.tif 000017
【図１６】
2019023976.tif 000018
【図１７】
2019023976.tif 000019
【図１８】
2019023976.tif 000020
【図１９】
2019023976.tif 000021
【図２０】
2019023976.tif 000022
【図２１】
2019023976.tif 000023
【図２２】
2019023976.tif 000024
【図２３】
2019023976.tif 000025
【図２４】
2019023976.tif 000026
【図２５】
2019023976.tif 000027
【図２６】
2019023976.tif 000028
【図２７】
2019023976.tif 000029
【図２８】
2019023976.tif 000030